(57)【特許請求の範囲】
【請求項１】
提示機器の画像取得装置が、１つ以上の閲覧しようとする画像を取得するステップと、
前記提示機器の特徴取得装置が、前記閲覧しようとする画像に基づき、前記画像に対応する１つ以上の画像特徴情報を取得するステップと、
前記提示機器の提示取得装置が、前記画像特徴情報に基づき、前記画像特徴情報に対応する提示情報を取得するステップと、
前記提示機器の提示装置が、前記画像の１つ以上の提示情報を提供し、前記提示情報が前記画像における特定位置に提示されるステップとを含む
画像の提示情報を提供するための方法であって、
前記画像特徴情報に対応する提示情報を取得するステップは、
前記提示取得装置が、前記画像特徴情報に基づき、前記画像特徴情報に対応する提示情報を取得するステップであって、前記提示情報が前記画像における特定位置に対応するステップを含み、
前記画像の１つ以上の提示情報を提供するステップは、
前記提示装置が、前記提示情報、及び前記提示情報の前記画像における特定位置に基づき、前記画像の１つ以上の提示情報を提供するステップを含み、
前記画像特徴情報に対応する提示情報を取得するステップは、
前記提示取得装置が、前記画像特徴情報に基づき、前記画像特徴情報に対応する１つ以上の関連画像を取得するステップと、
前記提示取得装置が、前記関連画像に対応する１つ以上の関連提示情報を取得するステップであって、前記関連提示情報が前記関連画像における特定位置に対応するステップと、
前記提示取得装置が、前記画像特徴情報と、前記関連提示情報及び前記関連提示情報の前記関連画像における特定位置とに基づき、前記画像特徴情報に対応する提示情報を確定し、前記提示情報の前記画像における特定位置を確定するステップとを含む
画像の提示情報を提供するための方法。
【請求項２】
前記画像特徴情報に対応する提示情報を取得するステップは、
前記提示取得装置が、前記画像特徴情報に対応する提示情報を取得するステップと、
前記提示取得装置が、前記提示情報と前記画像特徴情報とに基づき、前記提示情報の前記画像における特定位置を確定するステップとを含む
請求項１に記載の方法。
【請求項３】
前記画像に対応する１つ以上の画像特徴情報を取得するステップは、
前記特徴取得装置が、前記閲覧しようとする画像に基づき、前記画像に対応する１つ以上の画像特徴情報を取得するステップであって、前記画像特徴情報が前記画像に対応する候補提示情報を含むステップを含む
請求項１または２に記載の方法。
【請求項４】
前記画像特徴情報に対応する提示情報を取得するステップは、
前記提示取得装置が、前記候補提示情報に基づき、１つ以上の提示キーワードを確定するステップと、
前記提示取得装置が、前記提示キーワードに基づき、前記画像特徴情報に対応する１つ以上の提示情報を取得するステップとを含む
請求項３に記載の方法。
【請求項５】
前記画像に対応する１つ以上の画像特徴情報を取得するステップは、
前記特徴取得装置が、前記閲覧しようとする画像と、前記画像をブラウズするユーザとに基づき、前記画像に対応する１つ以上の画像特徴情報を取得するステップであって、前記画像特徴情報が前記ユーザのユーザ関連情報を有するステップを含む
請求項１または２に記載の方法。
【請求項６】
前記ユーザ関連情報と、前記提示情報に対応した関連ユーザ情報とに基づき、前記画像特徴情報に対応する第１の好ましい提示情報を確定するステップをさらに含み、
前記画像の１つ以上の提示情報を提供するステップは、
前記提示装置が、前記画像の１つ以上の第１の好ましい提示情報を提供するステップであって、前記第１の好ましい提示情報が前記画像における特定位置に提示されるステップを含む
請求項５に記載の方法。
【請求項７】
前記画像の１つ以上の提示情報を提供するステップは、
前記提示装置が、前記提示情報、及び前記提示情報の前記画像における特定位置に基づき、前記画像の各位置領域に対応する第２の好ましい提示情報を確定するステップと、
前記提示装置が、前記第２の好ましい提示情報及び前記第２の好ましい提示情報の前記画像における特定位置に基づき、前記画像の１つ以上の第２の好ましい提示情報を提供し、前記第２の好ましい提示情報が前記画像における特定位置に提示されるステップとを含む
請求項１〜６のいずれか１項に記載の方法。
【請求項８】
前記画像の１つ以上の提示情報を提供するステップは、
前記提示装置が、前記提示情報と、前記提示情報の前記画像における特定位置と、前記提示情報の前記画像における提示範囲とに基づき、前記画像に対応する第３の好ましい提示情報を確定するステップと、
前記提示装置が、前記第３の好ましい提示情報及び前記第３の好ましい提示情報の前記画像における特定位置に基づき、前記画像の１つ以上の第３の好ましい提示情報を提供するステップであって、前記第３の好ましい提示情報が前記画像における特定位置に提示されるステップとを含む
請求項１〜６のいずれか１項に記載の方法。
【請求項９】
１つ以上の閲覧しようとする画像を取得するための装置と、
前記閲覧しようとする画像に基づき、前記画像に対応する１つ以上の画像特徴情報を取得するための装置と、
前記画像特徴情報に基づき、前記画像特徴情報に対応する提示情報を取得するための装置と、
前記画像における特定位置に提示される、前記画像の１つ以上の提示情報を提供する装置とを備える
画像の提示情報を提供するための提示機器であって、
前記画像特徴情報に対応する提示情報を取得するための装置は、
前記画像特徴情報に基づき、前記画像特徴情報に対応する提示情報を取得するものであって、前記提示情報が前記画像における特定位置に対応することに用いられ、
前記画像の１つ以上の提示情報を提供するための装置は、
前記提示情報、及び前記提示情報の前記画像における特定位置に基づき、前記画像の１つ以上の提示情報を提供することに用いられ、
前記画像特徴情報に対応する提示情報を取得するための装置は、
前記画像特徴情報に基づき、前記画像特徴情報に対応する１つ以上の関連画像を取得し、
前記関連画像に対応する１つ以上の関連提示情報を取得し、前記関連提示情報が前記関連画像における特定位置に対応し、
前記画像特徴情報と、前記関連提示情報及び前記関連提示情報の前記関連画像における特定位置とに基づき、前記画像特徴情報に対応する提示情報を確定し、前記提示情報が前記画像における特定位置に対応することに用いられる
画像の提示情報を提供するための提示機器。
【請求項１０】
前記画像特徴情報に対応する提示情報を取得するための装置は、
前記画像特徴情報に対応する提示情報を取得し、
前記提示情報と前記画像特徴情報とに基づき、前記提示情報の前記画像における特定位置を確定することに用いられる
請求項９に記載の提示機器。
【請求項１１】
前記画像に対応する１つ以上の画像特徴情報を取得するための装置は、
前記閲覧しようとする画像に基づき、前記画像に対応する１つ以上の画像特徴情報を取得し、前記画像特徴情報が前記画像に対応する候補提示情報を含むことに用いられる
請求項９または１０に記載の提示機器。
【請求項１２】
前記画像特徴情報に対応する提示情報を取得するための装置は、
前記候補提示情報に基づき、１つ以上の提示キーワードを確定し、
前記提示キーワードに基づき、前記画像特徴情報に対応する１つ以上の提示情報を取得することに用いられる
請求項１１に記載の提示機器。
【請求項１３】
前記画像に対応する１つ以上の画像特徴情報を取得するための装置は、
前記閲覧しようとする画像と、前記画像をブラウズするユーザとに基づき、前記画像に対応する１つ以上の画像特徴情報を取得し、前記画像特徴情報が前記ユーザのユーザ関連情報を含む
請求項９または１０に記載の提示機器。
【請求項１４】
前記ユーザ関連情報と、前記提示情報に対応した関連ユーザ情報とに基づき、前記画像特徴情報に対応する第１の好ましい提示情報を確定するための装置をさらに備え、
前記画像の１つ以上の提示情報を提供するための装置は、
前記画像の１つ以上の第１の好ましい提示情報を提供し、前記第１の好ましい提示情報が前記画像における特定位置に提示されることに用いられる
請求項１３に記載の提示機器。
【請求項１５】
前記画像の１つ以上の提示情報を提供するための装置は、
前記提示情報、及び前記提示情報の前記画像における特定位置に基づき、前記画像のそれぞれ位置領域に対応する第２の好ましい提示情報を確定し、
前記第２の好ましい提示情報及び前記第２の好ましい提示情報の前記画像における特定位置に基づき、前記画像の１つ以上の第２の好ましい提示情報を提供し、前記第２の好ましい提示情報が前記画像における特定位置に提示されることに用いられる
請求項９〜１４のいずれか１項に記載の提示機器。
【請求項１６】
前記画像の１つ以上の提示情報を提供するための装置は、
前記提示情報と、前記提示情報の前記画像における特定位置と、前記提示情報の前記画像における提示範囲とに基づき、前記画像に対応する第３の好ましい提示情報を確定し、
前記第３の好ましい提示情報及び前記第３の好ましい提示情報の前記画像における特定位置に基づき、前記画像の１つ以上の第３の好ましい提示情報を提供し、前記第３の好ましい提示情報が前記画像における特定位置に提示されることに用いられる
請求項９〜１４のいずれか１項に記載の提示機器。
【請求項１７】
コンピュータ命令を含み、
前記コンピュータ命令が実行される際に、請求項１〜８のいずれか１項に記載の方法が実行される
コンピュータ読み取り可能な記憶媒体。
【請求項１８】
コンピュータプログラムであって、
前記コンピュータプログラムが実行される際に、請求項１〜８のいずれか１項に記載の方法が実行される
コンピュータプログラム。
【請求項１９】
メモリ及びプロセッサを備え、
前記メモリにコンピュータ命令が記憶され、
前記プロセッサは、前記コンピュータ命令を実行することにより請求項１〜８のいずれか１項に記載の方法を実行するように配置される
コンピュータ装置。
【発明の詳細な説明】
【技術分野】
【０００１】
［優先権主張］
本出願は、出願日が２０１４年１１月２８日であり、出願番号が２０１４１０７１４５３４．０であり、発明名称が「画像の提示情報を提供するための方法及び機器」である中国特許出願を優先権として提出される。
【０００２】
［発明の分野］
本発明は、インターネット技術分野に関し、特に画像の提示情報を提供するための技術に関する。
【背景技術】
【０００３】
携帯電話、カメラなどの撮影機器の普及及びネットワーク速度の向上に伴い、画像は次第にユーザが情報を取得するキャリアとなっている。現在で得られた画像関連情報は、一般的に画像そのもの及び画像のタイトルだけであるため、画像そのものが簡単で明確であるが、画像関連情報の不足のため、画像そのもの及び画像タイトルのみでユーザに一定の誤解が発生しやすいことがあり、ユーザが情報を取得する効率を低下させる。
【０００４】
また、各枚の画像はいずれも独立にユーザに提供され、インターネットにおける画像の数が巨大であるが、複数枚の画像も関連することができず、さらにユーザが情報を取得する効率を低下させる。
【発明の概要】
【発明が解決しようとする課題】
【０００５】
本発明は、画像の提示情報を提供するための方法及び機器を提供することを目的とする。
【課題を解決するための手段】
【０００６】
本発明の一態様によれば、画像の提示情報を提供するための方法を提供し、該方法は、
１つ以上の閲覧しようとする画像を取得するステップと、
前記閲覧しようとする画像に基づき、前記画像に対応する１つ以上の画像特徴情報を取得するステップと、
前記画像特徴情報に基づき、前記画像特徴情報に対応する提示情報を取得するステップと、
前記画像における特定位置に提示される、前記画像の１つ以上の提示情報を提供するステップとを含む。
【０００７】
本発明の他の態様によれば、画像の提示情報を提供するための提示機器をさらに提供し、該機器は、
１つ以上の閲覧しようとする画像を取得するための装置と、
前記閲覧しようとする画像に基づき、前記画像に対応する１つ以上の画像特徴情報を取得するための装置と、
前記画像特徴情報に基づき、前記画像特徴情報に対応する提示情報を取得するための装置と、
前記画像における特定位置に提示される、前記画像の１つ以上の提示情報を提供するための装置とを備える。
【０００８】
従来の技術に比べると、本発明は、閲覧しようとする画像に対応する１つ以上の画像特徴情報を取得して、前記画像特徴情報に基づき、前記画像特徴情報に対応する提示情報を取得し、最後、前記提示情報が前記画像における特定位置に提示される、前記画像の１つ以上の提示情報を提供することにより、ユーザのために画像に関連する複数の提示情報を提供し、且つ提示情報を画像の特定位置に表示させ、ユーザは画像の情報をより容易に取得させ、画像に対する理解を深め、ユーザの情報を取得する効率を向上させ、ユーザ体験を高める。
【０００９】
また、本発明は、先に前記画像特徴情報に対応する提示情報を取得して、且つ前記提示情報に基づき、前記画像特徴情報を組み合わせ、前記提示情報の前記画像における特定位置を確定することにより、提示情報が特定位置を有しない時に、前記提示情報のために画像における１つの特定位置を確定し、提示情報の提示方式及び提示効果を改善し、ユーザは画像の情報をより容易に取得させ、画像に対する理解を深め、ユーザの情報を取得する効率を向上させ、ユーザ体験を高める。
【００１０】
また、本発明は、前記画像の関連画像を取得し、前記関連画像の関連提示情報に基づいて現在画像の提示情報を確定することもでき、或いは、本発明は、画像の候補提示情報に基づき提示キーワードを確定し、次に前記提示キーワードに基づき、前記画像特徴情報に対応する１つ以上の提示情報を取得することができる。それにより、前記画像提示情報の取得範囲を拡大し、提示情報をより豊かにさせ、ユーザは画像の情報をより容易に取得させ、画像に対する理解を深め、ユーザの情報を取得する効率を向上させ、ユーザ体験を高める。
【００１１】
また、本発明の画像特徴情報は、前記ユーザのユーザ関連情報をさらに含んでよく、さらに、前記ユーザ関連情報に基づき、前記提示情報に対応する関連ユーザ情報を組み合わせ、前記画像特徴情報に対応する第１の好ましい提示情報を確定し、それにより、本発明は、提供された提示情報がユーザの需要にさらに合致させることができ、ユーザは画像の情報をより容易に取得させ、画像に対する理解を深め、ユーザの情報を取得する効率を向上させ、ユーザ体験を高める。
【００１２】
また、本発明は、前記提示情報、及び前記提示情報の前記画像における特定位置に基づき、前記画像の各位置領域に対応する第２の好ましい提示情報を確定することができ、或いは、前記提示情報、及び前記提示情報の前記画像における特定位置に基づき、前記提示情報の前記画像における提示範囲を組み合わせ、前記画像に対応する第３の好ましい提示情報を確定することができる。それにより、本発明は、提示情報の表示を画像により適合させ、ユーザが読みやすくなり、ユーザの読み効率を向上させ、ユーザ体験を高める。
【００１３】
以下、図面を参照しながら非限定的な実施例を詳細に説明することにより、本発明の他の特徴、目的、および利点は、より明らかになる。
【図面の簡単な説明】
【００１４】
【図１】本発明の一態様に係る画像の提示情報を提供するための提示機器を示す模式図である。
【図２】本発明の好ましい実施例に係る画像の提示情報を提供するための提示機器を示す模式図である。
【図３】本発明の他の態様に係る画像の提示情報を提供するための方法を示すフロー図である。
【図４】本発明の好ましい実施例に係る画像の提示情報を提供するための方法を示すフロー図である。
【図５】本発明の好ましい実施例に係る画像に画像の提示情報を提供する例示図である。
【図６】本発明の他の好ましい実施例に係る画像に画像の提示情報を提供する例示図である。
【発明を実施するための形態】
【００１５】
図面には、同じ又は類似の図面符号は同じ又は類似の部材を表す。
【００１６】
以下、図面を参照してさらに本発明を詳細的に説明する。
【００１７】
図１は本発明の一態様に係る画像の提示情報を提供するための提示機器を示す模式図である。前記提示機器は、１つ以上の閲覧しようとする画像を取得するための装置（以下、「画像取得装置１」と略称する）と、前記閲覧しようとする画像に基づき、前記画像に対応する１つ以上の画像特徴情報を取得するための装置（以下、「特徴取得装置２」と略称する）と、前記画像特徴情報に基づき、前記画像特徴情報に対応する提示情報を取得するための装置（以下、「提示取得装置３」と略称する）と、前記画像の１つ以上の提示情報を提供するための装置（以下、「提示装置４」と略称する）とを備え、その中で、前記提示情報は前記画像における特定位置に提示される。
【００１８】
ここで、前記提示機器は、ネットワーク機器、ユーザ機器、またはネットワーク機器とユーザ機器とがネットワークによって集積して構成される機器を含むが、これらに限定されない。前記ネットワーク機器は、事前に設定又は記憶された命令にしたがって、自動的に数値計算及び情報処理を行うことができる電子機器を含み、そのハードウェアは、マイクロプロセッサ、特定集積回路（ＡＳＩＣ）、プログラマブルゲートアレイ（ＦＰＧＡ）、デジタルプロセッサ（ＤＳＰ）、組み込み機器などを含むが、これらに限定されない。前記ネットワーク機器は、コンピュータ、ネットワークホスト、単一のネットワークサーバ、複数のネットワークサーバクラスタ又は複数のサーバからなるクラウドを含むが、これらに限定されない。ここで、クラウドはクラウドコンピューティング（Ｃｌｏｕｄ  Ｃｏｍｐｕｔｉｎｇ）に基づく大量のコンピュータ又はネットワークサーバからなり、クラウドコンピューティングは、分散コンピューティングの一種であり、一群の疎結合するコンピュータクラスタにより構成された仮想スーパーコンピュータである。前記ユーザ機器は、キーボード、タッチパッド、又は音声制御機器によってユーザとヒューマンコンピュータインタラクションすることができる任意の携帯用電子製品、例えばスマートフォン、ＰＤＡなどを含むが、これらに限定されない。前記携帯用電子製品は、任意の操作システム、例えばａｎｄｒｏｉｄ操作システム、ｉＯＳ操作システム等を採用することができる。前記ネットワークはインターネット、広域ネットワーク、メトロポリタンエリアネットワーク、ローカルエリアネットワーク、ＶＰＮネットワーク、無線アドホックネットワーク（Ａｄ  Ｈｏｃネットワーク）などを含むが、これらに限定されない。当業者は、その他の提示機器が同様に本発明に適用され、本発明の保護範囲内に含まれるはずであり、ここで引用されるように含まれることを理解すべきである。
【００１９】
当業者は、本発明が独立したユーザ機器又は独立したサービス機器において実行されることができ、上記の独立した機器により閲覧しようとする画像の取得、画像特徴情報の取得、提示情報の取得及び提示情報の表示を行い、ユーザ機器とサービス機器との組み合わせにより、画像提示情報の提供を実現してもよく、例えば、ユーザ機器はサービス機器により閲覧しようとする画像を提供して、且つサービス機器により画像特徴情報の取得、提示情報の取得を行い、最後、ユーザ機器により提示情報を表示することを理解すべきである。上記組み合わせ方法は、単に例示だけであり、その他のユーザ機器とサービス機器との組み合わせにより提示情報の表示を実現する方法は、いずれも本発明に適用され、且つ本発明の保護範囲内に含まれる。
【００２０】
上記各装置の間は持続的に作動するものであり、ここで、「持続」とは上記各装置がそれぞれリアルタイムで、或いは設定した又はリアルタイムに調整した作動モード要求にしたがい、前記提示機器が１つ以上の閲覧しようとする画像を取得することを停止するまで、閲覧しようとする画像の取得、画像特徴情報の取得、提示情報の取得、提示情報の提供などを行うことを指すことを、当業者は理解すべきである。
【００２１】
前記画像取得装置１は１つ以上の閲覧しようとする画像を取得する。
【００２２】
具体的に、前記画像取得装置１は、様々な通信プロトコルにより、各種の送信インタフェースに基づき、ユーザとを直接にインタラクションして、ユーザがアップロード又は検索などの方法で提出された１つ以上の閲覧しようとする画像を取得し、或いは、ユーザがクリック、タッチ、テキスト入力、音声入力などの様々な方法で選択された１つ以上の閲覧しようとする画像を取得し、或いは、その他の装置で提供された１つ以上の閲覧しようとする画像を取得するために、前記画像取得装置１は、様々な通信プロトコルにより、各種の送信インタフェースに基づき、閲覧しようとする画像を提供できるその他の装置とをインタラクションする。
【００２３】
前記特徴取得装置２は、前記閲覧しようとする画像に基づき、前記画像に対応する１つ以上の画像特徴情報を取得する。
【００２４】
具体的に、前記特徴取得装置２は、前記閲覧しようとする画像に基づき、前記閲覧しようとする画像に関連する画像情報を直接に取得することができ、それにより、前記画像情報に基づき前記画像に対応する１つ以上の画像特徴情報を取得し、或いは、前記特徴取得装置２は、例えば画像処理又は画像認識技術などに基づき、前記閲覧しようとする画像を分析することにより、前記画像に対応する１つ以上の画像特徴情報を取得する。
【００２５】
例えば、前記画像の画像情報を取得するために、前記特徴取得装置２は、前記閲覧しようとする画像に基づき、該画像に対応するデータベース又は前記画像の画像情報を提供し得る装置をクエリすることができる。その中で、前記画像情報は、画像アドレスファイル、画像説明情報／文字注記、１つ以上のユーザの該画像に対するコメント情報等を含むが、これらに制限されず、好ましくは、前記画像情報は、現在で該画像をブラウズしているユーザのユーザ情報、例えばユーザＩＤをさらに含むことができ、さらに好ましくは、該ユーザの該画像に対するコメント情報等を取得することもできる。ここで、上記画像情報は、ユーザ又はシステムが画像において直接に発布する情報であってよく、バックグラウンドにより、該画像に関連するウェブページをキャプチャすることで取得されるものであってもよい。
【００２６】
次に、前記特徴取得装置２は、上記１つ以上の画像情報に基づき、前記画像情報を統計及び分析し、システムの予備設定方式又はユーザの設定方式に基づき、１つ以上の画像特徴情報を確定する。例えば、上記画像情報を直接に前記画像特徴情報としてもよく、現在で画像をブラウズするアプリの需要又はユーザの需要に基づき、１つ以上の画像情報を前記画像特徴情報として選択してもよく、例えば、場所に関連するアプリ（例えば、旅行類のアプリ）である場合、場所キーワードを含む画像情報を画像特徴情報として抽出し、検索に関連するアプリである場合、更なる検索等に用いられるように、画像アドレスファイルを画像特徴情報とする。
【００２７】
或いは、例えば、前記特徴取得装置２は、画像処理又は画像認識技術に基づき、前記画像の画像内容、各画像内容の画像における位置などを取得するために、前記閲覧しようとする画像の画像特徴を分析し抽出する。前記画像内容は、画像内に含まれる文字、数字、物体及び物体内のコンポーネントのうちの１つ以上を含むが、これらに制限されなく、好ましくは、前記画像における画像特徴を抽出した後、それを具体的な文字情報に変換し、例えばある画像化コンポーネントを画像認識した後、該コンポーネントの名称などとして記憶する。前記画像内容の画像における位置は、前記文字、数字、物体、及び物体内のコンポーネントの画像における具体的な位置（例えば、座標位置）又は相対分布位置などである。それにより、前記特徴取得装置２は、前記画像内容、及び画像内容の位置を前記画像特徴情報とする。
【００２８】
それにより、取得された画像特徴情報は、前記画像の画像情報、前記画像の画像内容、各画像内容の画像における位置などのうちの１つ又は２つ以上の組み合わせを含むが、これに限定されない。
【００２９】
ここで、当業者は、前記画像特徴情報の取得方式が単に例示だけであり、本発明を制限するものでなく、その他の画像特徴情報の取得方式が本発明に適用される場合、同様に本発明の保護範囲内に含まれることを理解すべきである。
【００３０】
好ましくは、前記特徴取得装置２は、前記閲覧しようとする画像に基づき、前記画像をブラウズするユーザを組み合わせ、前記画像に対応する１つ以上の画像特徴情報を取得し、前記画像特徴情報が前記ユーザのユーザ関連情報を含む。
【００３１】
具体的に、前記特徴取得装置２は、前記閲覧しようとする画像に基づき、現在で該画像をブラウズしているユーザがログイン状態にある場合、前記ユーザのユーザ関連情報を前記画像特徴情報としてさらに取得することができる。前記ユーザ関連情報は、ユーザＩＤ、ユーザの趣味興味情報、ユーザの位置、該ユーザのコメントなどを含むが、これらに限定されない。
【００３２】
前記提示取得装置３は、前記画像特徴情報に基づき、前記画像特徴情報に対応する提示情報を取得する。
【００３３】
具体的に、前記提示取得装置３は、前記画像特徴情報に基づいて検索し、又は画像特徴情報及び提示情報のマッピング関係を記憶した装置やデータベースとをインタラクションすることにより、前記画像特徴情報に対応する提示情報を取得する。その中で、前記提示情報は、該画像において提示可能な任意の情報、例えば画像のコメント情報、説明情報、推薦情報などを含むが、これらに限定されない。
【００３４】
ここで、当業者は、前記提示情報の取得方式が単に例示だけであり、本発明を制限するものでなく、その他の提示情報の取得方式が本発明に適用される場合、同様に本発明の保護範囲内に含まれることを理解すべきである。
【００３５】
好ましくは、前記提示取得装置３は、前記画像特徴情報に基づき、前記画像特徴情報に対応する提示情報を取得し、前記提示情報の前記画像における特定位置に対応する。
【００３６】
ここで、取得する際に該提示情報の画像における特定位置情報を直接に取得してもよく、提示情報及び画像を分析することにより、前記提示情報の前記画像における特定位置を確定してもよい。
【００３７】
さらに好ましくは、前記提示取得装置３は、前記画像特徴情報に対応する提示情報を取得することに用いられ、前記提示情報に基づき、前記画像特徴情報を組み合わせ、前記提示情報の前記画像における特定位置を確定する。
【００３８】
具体的に、前記提示取得装置３は、前記画像特徴情報に基づいて検索し、又は画像特徴情報及び提示情報のマッピング関係を記憶した装置やデータベースとをインタラクションすることにより、前記画像特徴情報に対応する提示情報を取得し、その後、前記提示取得装置３は、前記画像特徴情報を分析することにより、前記提示情報におけるキーワード、特定リンクなどに基づき、前記提示情報と現在画像の画像特徴情報とをマッチして、マッチ関係に基づき、前記提示情報の前記画像における特定位置を確定する。
【００３９】
例えば、前記提示取得装置３は、前記画像特徴情報に含まれた、画像に対するコメント情報に基づき、該コメント情報におけるキーワードを抽出し、前記キーワードに基づいて検索して、前記キーワードに関連する１つ以上の情報、例えばその他のコメント、画像などを取得し、また、前記コメント又は画像に含まれた、該閲覧しようとする画像における位置情報に基づき、前記画像特徴情報に対応する提示情報を確定する。具体的に、例えば、前記画像特徴情報は、「王菲の娘と那英の息子とは一緒に食事する際に撮られた」という画像説明情報である場合、前記提示取得装置３は「王菲の娘と那英の息子とは一緒に食事する際に撮られた」を検索し、又は該内容を単語分割などの方式で処理した後に検索し、該説明に関連する１つ以上のコメントを取得し、例えば取得したあるコメントが「えくぼが良い」である。このコメントがすでにその画像における位置情報を含む場合、該位置情報を直接に前記提示情報の画像における特定位置としており、或いは、このコメントに対応する原画像が現在で閲覧しようとする画像と同一視しなく、且つ現在で閲覧しようとする画像の等比例の増幅又は縮小のバージョンである場合、対応する比例関係に基づき、該コメントの原画像における位置の、現在で閲覧しようとする画像における位置のマッピングを計算して取得し、且つ前記マッピングした位置を前記提示情報の画像における特定位置としており、或いは、画像における位置情報を含まなく、又は該コメントに対応する原画像が現在で閲覧しようとする画像と同一視しくない場合、「えくぼが良い」に対する分析に基づき、閲覧しようとする画像を画像認識して顔の位置を認識した後、該位置を前記提示情報の画像における特定位置（例えば図６に示す）とする。
【００４０】
或いは、さらに好ましくは、前記提示取得装置３は、前記画像特徴情報に基づき、前記画像特徴情報に対応する１つ以上の関連画像を取得することができ、また、前記関連画像に対応する１つ以上の関連提示情報を取得し、前記関連提示情報の前記関連画像における特定位置に対応し、また、前記画像特徴情報に基づき、前記関連提示情報及び前記関連提示情報の前記関連画像における特定位置を組み合わせ、前記画像特徴情報に対応する提示情報を確定し、前記提示情報の前記画像における特定位置に対応する。
【００４１】
具体的に、前記提示取得装置３は、前記画像特徴情報を検索したりクエリしたりするような方式に基づき、前記画像特徴情報と同様、類似であり又は対応する１つ以上の画像を取得して関連画像とすることができ、例えば、前記閲覧しようとする画像の画像特徴情報と完全に一致し、一部が一致する画像（その他のウェブサイトに記憶された閲覧しようとする画像と完全に一致する画像、画素の大きさが完全に一致し又は等比例で調整された該画像）であり、或いは閲覧しようとする画像の画像特徴情報と同一の種類又は類似の種類に属し、又は関連性を有する画像である。前例の続きとして、説明情報が「王菲の娘と那英の息子とは一緒に食事する際に撮られた」である画像の場所情報が「広州」である場合、該画像の種類が「スターのゴシップ」に属し、場所が「広州」で種類が「スターのゴシップ」である画像を検索して関連画像などとすることができる。
【００４２】
その後、前記提示取得装置３は、前記関連画像に対応したデータベースをクエリし、或いは前記関連画像の提示情報に対してウェブクローリング又はウェブキャプチャを行い、或いは前記関連画像を画像分析するなどの方式により、前記関連画像に対応する１つ以上の関連提示情報を取得する。ここで、前記関連提示情報は、該画像に提示される任意の情報、例えば画像のコメント情報、説明情報、推薦情報などを含むが、これらに限定されない。前記関連提示情報が前記関連画像における特定位置に対応し、前記特定位置は前記関連提示情報を取得する際に前記関連提示情報の関連画像における特定位置を直接に取得することができ、前記関連提示また、情報と関連画像を分析することにより、前記関連提示情報の前記関連画像における特定位置を確定することもできる。ここで、前記関連提示情報の特定位置の取得は、図１において前記提示取得装置３で前記提示情報の画像における特定位置を取得する方式と同一又は類似であるため、ここでは繰り返して説明しなく、且つ引用することによりここに組み込まれる。
【００４３】
その後、前記提示取得装置３は、前記閲覧しようとする画像の画像特徴情報に基づき、前記関連提示情報及び前記関連提示情報の前記関連画像における特定位置を組み合わせ、まず、前記関連提示情報のうちから１つ以上を選択して前記提示情報とし、次に、前記関連提示情報の特定位置に基づき、その現在で閲覧しようとする画像における特定位置を確定する。
【００４４】
例えば、関連画像と閲覧しようとする画像とが完全に一致する画像に属し、且つ関連画像の１つの関連提示情報が該関連画像における目の箇所にある「目がつり目（まなじりがややつり上がった目）である」という説明情報である場合、閲覧しようとする画像の提示情報として該説明情報及び位置を現在画像の目の箇所に表示し、且つ「目がつり目である」と注記する。
【００４５】
或いは、例えば、関連画像と閲覧しようとする画像とが完全に一致する画像に属しない場合、関連画像と閲覧しようとする画像との類似程度（例えば、等比例で調整されたか、完全に異なるか否か）に基づき、関連提示情報を提示情報及びその位置とするか否かを確定することができる。関連画像と閲覧しようとする画像とが等比例で調整された２枚の画像に属する場合、関連提示情報の位置を比例調整関係により現在で閲覧しようとする画像の位置にマッピングし、関連画像と閲覧しようとする画像とが完全に異なる場合、関連提示情報の内容等に基づき、現在で閲覧しようとする画像における位置を確定する。
【００４６】
前記提示装置４は、前記画像の１つ以上の提示情報を提供し、前記提示情報が前記画像における特定位置に提示される。
【００４７】
具体的に、前記提示情報が前記画像に対応する特定位置を含まない場合、前記提示装置４は、デフォルトの設定（例えば、ランダムに表示し、又は画像の左上から順次に表示すること）に基づいて、又は前記提示情報の発布時間、内容長さなどの一種以上の情報に基づいて、所定の提示規則により前記提示情報を画像の特定位置に提示する。
【００４８】
好ましくは、前記提示情報がすでに前記画像に対応する特定位置を含んだ場合、前記提示装置４は、前記提示情報、及び前記提示情報の前記画像における特定位置に基づき、前記画像の１つ以上の提示情報を提供し、前記提示情報が前記画像における特定位置に提示される。
【００４９】
具体的に、前記提示装置４は、前記提示情報、及び前記提示情報の前記画像における特定位置に基づき、前記提示情報を該画像の特定位置に提示し、且つ１つ以上の提示情報を含む画像を提供し、また、前記提示機器がユーザ機器又は該画像を直接に表示する必要があるその他の機器である場合、前記提示装置４は、上記の提示情報を含む画像を、直接に表示し、また、前記提示機器がサービス機器などの該画像を直接に表示しない機器である場合、前記提示装置４は、１つ以上の提示情報含有画像を、該画像を表示する機器に提供する。
【００５０】
例えば、ある画像に３つの提示情報が含まれる場合、前記提示装置４は、各提示情報の該画像における位置情報（例えば画像の中間、画像の右下隅、画像の左下隅）にしたがって、前記提示情報を該画像の対応する位置に提示し、また、ある提示情報が位置情報を含まない場合、予備設定された位置にしたがって例えば画像の左上隅から順次に該提示情報を表示し（例えば図５に示す）、好ましくは、画像に含まれた提示情報が多すぎる場合、又はその他の設置により、１つ以上の提示情報を画像のサイドバーに提示することもできる。
【００５１】
ここで、前記提示情報は、編集できなく直接に該画像に嵌め込まれてもよく、ユーザの削除、内容修正、位置調整などに供するように、編集可能な提示情報として該画像に表示されてもよい。
【００５２】
好ましくは、前記特徴取得装置２は、前記閲覧しようとする画像に基づき、前記画像に対応する１つ以上の画像特徴情報を取得し、前記画像特徴情報において前記画像に対応する候補提示情報を含む。
【００５３】
具体的に、前記特徴取得装置２で得られた画像特徴情報は、該画像に対応する１つ以上の候補提示情報を含んでもよい。ここで、前記特徴取得装置２が画像特徴情報を取得する方式は、図１における前記特徴取得装置２の取得方式と同一又は類似であるため、ここでは繰り返して説明しなく、且つ引用することによりここに組み込まれる。
【００５４】
例えば、前記閲覧しようとする画像において１つ以上の提示情報が含まれた場合、これらの提示情報を今回でブラウズする候補提示情報とすることができ、或いは、ある画像特徴情報を、前記候補提示情報、例えば前記閲覧しようとする画像に含まれるコメント、説明などの情報とすることもできる。
【００５５】
さらに好ましくは、前記提示取得装置３は、前記候補提示情報に基づき、１つ以上の提示キーワードを確定し、また、前記提示キーワードに基づき、前記画像特徴情報に対応する１つ以上の提示情報を取得する。
【００５６】
具体的に、前記提示取得装置３は、１つ以上の前記候補提示情報に基づき、前記候補提示情報において出現頻度が最も高い単語、又は特定符号（例えば、二重引用符（“  ”）／一重鍵括弧（「  」）／二重鍵括弧（『  』）、又は二重シャープ記号（＃＃））で設定された単語を提示キーワードとする。前記特定符号はシステムの予備設定又はユーザの設定に基づくものであってよい。例えば、二重シャープ記号（＃＃）で引用された単語を提示キーワードとし、ある閲覧しようとする画像の候補提示情報が「＃明星匯＃スターたちは最終的に一緒にいる」である場合、「明星匯」を提示キーワードとする。
【００５７】
次に、前記提示取得装置３は、前記提示キーワードに基づき、前記提示キーワードを対応するデータベースに検索することにより、検索結果において前記画像特徴情報に符合するものを前記提示情報とする。
【００５８】
例えば、前例の続きとして、「明星匯」が前記提示キーワードである場合、前記提示取得装置３は、全ての「明星匯」又は「＃明星匯＃」を含む提示情報、候補提示情報、画像特徴情報のうちの１つ以上を検索し、その後、得られた検索結果を直接に前記提示情報とし、或いは、さらに、得られた検索結果をその他の提示キーワードでさらに検索し、且つ得られた更なる検索結果を前記提示情報とし、或いは、さらに、得られた検索結果の関連画像、画像アドレス、種類などを分析し、上記情報において前記閲覧しようとする画像の対応する情報と同一または類似の検索結果を前記提示情報とする。
【００５９】
好ましくは、前記提示装置４は、前記提示情報、及び前記提示情報の前記画像における特定位置に基づき、前記画像の各位置領域に対応する第２の好ましい提示情報を確定し、前記第２の好ましい提示情報及び前記第２の好ましい提示情報の前記画像における特定位置に基づき、前記画像の１つ以上の第２の好ましい提示情報を提供し、前記第２の好ましい提示情報が前記画像における特定位置に提示される。
【００６０】
具体的に、前記画像に複数の提示情報が含まれる場合、各提示情報は、いずれも画像におけるある特定位置に対応し、前記提示情報が多いと、１つの位置領域に複数の提示情報を含む可能性があり、このため、前記提示装置４が前記１つ以上の提示情報を取得する場合、前記提示装置４は、前記提示情報に含まれた画像における特定位置に基づき、又はシステムの予備設定、ユーザの設定などの方式を介して前記提示情報のために確定された特定位置に基づき、前記提示装置４は、予備設定又はユーザ設定の位置領域を組み合わせ、各位置領域のために一つ以上の第２の好ましい提示情報を確定し、例えば、システムの設定により、該画像を９つの領域（例えば、九宮格方式で分割し、画像の色度変化に基づいて分割し、画像に表示された内容に基づいて分割する）に分け、各領域が座標点方式によって１つの範囲を画定し、その後各範囲内に含まれた複数の提示情報を最適化し、例えば、ランダムに選択し、提示情報のユーザと現在でブラウズするユーザとの友達度（親密度）に基づいて選択し、各提示情報に対応する字数に基づいて選択する（例えば、字数が最少又は字数が適切であるものを選択する）などの方式により、各範囲のために一つ以上の第２の好ましい提示情報を選択する。
【００６１】
ここで、前記提示情報に対応する画像内における座標、前記提示情報に対応する内容などに基づき前記提示情報がどの位置領域に属するかを確定することができる。
【００６２】
ここで、前記画像の分割方法、及び各範囲内から第２の好ましい提示情報の選択方式は、単に例示だけであり、本発明を制限するものでなく、その他の方法が本発明に適用できる場合、同様に本発明の保護範囲内に含まれる。
【００６３】
次に、前記提示装置４は、前記第２の好ましい提示情報、及び前記第２の好ましい提示情報の前記画像における特定位置に基づき、前記画像の１つ以上の第２の好ましい提示情報を提供し、前記第２の好ましい提示情報が前記画像における特定位置に提示される。それにより、前記画像の各位置領域内に、有限な第２の好ましい提示情報のみを含み、画像全体における提示情報は、ユーザの読みにさらに適合することができる。
【００６４】
ここで、前記提供方式は、図１における前記提示装置４の提供方式と同一又は類似であるため、ここでは繰り返して説明しなく、且つ引用することによりここに組み込まれる。
【００６５】
好ましくは、前記提示装置４は、前記提示情報、及び前記提示情報の前記画像における特定位置に基づき、前記提示情報の前記画像における提示範囲を組み合わせ、前記画像に対応する第３の好ましい提示情報を確定し、前記第３の好ましい提示情報及び前記第３の好ましい提示情報の前記画像における特定位置に基づき、前記画像の１つ以上の第３の好ましい提示情報を提供し、その中で、前記第３の好ましい提示情報は前記画像における特定位置に提示される。
【００６６】
具体的に、各提示情報は、字数が異なり、字形サイズが異なり、含まれた内容が異なるなどの多種の原因があるため、異なる提示情報が画像に提示される際に、占められた提示範囲が異なる可能性があり、例えば、一番目の提示情報に含まれたコメントの字数が５０であり、二番目の提示情報に含まれたコメントの字数が１０である場合、一番目の提示情報に占められた提示範囲は、より大きくなる。
【００６７】
このため、前記提示装置４が前記１つ以上の提示情報を取得する場合、前記提示装置４は、前記提示情報に含まれる画像における特定位置に基づき、又はシステムの予備設定、ユーザの設定などの方式を介して前記提示情報のために確定された特定位置に基づき、前記提示範囲を組み合わせて前記提示情報を最適化し、例えば、提示範囲の最も小さい又は最も適切な１つ以上を選択して前記第３の好ましい提示情報とし、或いは、前記提示装置４は、前記特定位置に基づき、前記提示範囲を組み合わせ、該特定位置に短すぎる提示情報又は長すぎる提示情報を提示することに適しない場合、適切な提示情報又はその他の提示情報を選択して前記第３の好ましい提示情報とする。例えば、前記画像に対して色調又は色度の分析を行い、同一又は類似のものを１つの領域に画定し、前記提示情報を提示する際にその位置の所在領域を超えない場合、それを前記第３の好ましい提示情報とする。
【００６８】
ここで、当業者は、本発明の提示装置４が前記提示情報を調整することができ、例えばフォント、フォントサイズ、行間隔などの調整であり、各提示情報に対応した提示範囲を一致させることを理解すべきである。好ましくは、前記提示装置４は、提示効果が悪い（例えばフォントが明らかではなく、フォントサイズが小さ過ぎ、行間隔が小さすぎるなど）の提示情報を選別して除去して、提示効果が良いものを前記第３の好ましい提示情報とすることもできる。
【００６９】
それにより、前記提示装置４は、より少なくしかしより良い提示情報（例えば短いコメント）のみを前記画像に表示し、その他の提示情報（例えば長いコメント）を画像のサイドバーに表示することができる。
【００７０】
図２は、本発明の好ましい実施例に係る画像の提示情報を提供するための提示機器の模式図である。前記提示機器は、１つ以上の閲覧しようとする画像を取得するための装置（以下、「画像取得装置１’」と略称する）と、前記閲覧しようとする画像に基づき、前記画像に対応する１つ以上の画像特徴情報を取得するための装置（以下、「特徴取得装置２’」と略称する）と、前記画像特徴情報に基づき、前記画像特徴情報に対応する提示情報を取得するための装置（以下、「提示取得装置３’」と略称する）と、前記ユーザ関連情報に基づき、前記提示情報に対応した関連ユーザ情報を組み合わせ、前記画像特徴情報に対応する第１の好ましい提示情報を確定するための装置（以下、「第１の好ましい装置５’」と略称する）と、前記画像の１つ以上の第１の好ましい提示情報を提供するための装置（以下、「提示装置４’」と略称する）とを備え、その中で、前記第１の好ましい提示情報は前記画像における特定位置に提示される。
【００７１】
前記画像取得装置１’、特徴取得装置２’、提示取得装置３’は、図１に示すような対応する装置と同一又はほぼ同一であるため、ここでは繰り返して説明しなく、且つ引用することによりここに組み込まれる。
【００７２】
上記各装置の間は持続的に作動するものであり、ここで、「持続」とは上記各装置がそれぞれリアルタイムで、或いは設定した又はリアルタイムに調整した作動モード要求にしたがって、前記提示機器が１つ以上の閲覧しようとする画像を取得することを停止するまで、閲覧しようとする画像の取得、画像特徴情報の取得、提示情報の取得、第１の好ましい提示情報の確定、第１の好ましい提示情報の提供などを行うことを指すことを、当業者は理解すべきである。
【００７３】
前記第１の好ましい装置５’は、前記ユーザ関連情報に基づき、前記提示情報に対応した関連ユーザ情報を組み合わせ、前記画像特徴情報に対応する第１の好ましい提示情報を確定する。
【００７４】
具体的に、前記画像特徴情報が前記ユーザのユーザ関連情報を含む際に、前記第１の好ましい装置５’は、前記ユーザ関連情報と前記提示情報に対応する関連ユーザ情報とを比較し又はマッチすることにより、前記ユーザ関連情報と前記関連ユーザ情報とが一定の条件、例えば該ユーザと関連ユーザとが友達であり、該ユーザと関連ユーザとが同一の場所にあり、該ユーザと関連ユーザとが同一又は類似の興味がある条件を満たす場合、前記関連ユーザ情報に対応した提示情報を、前記第１の好ましい提示情報とする。
【００７５】
例えば、ある検索されたコメントの発表ユーザと現在で画像をブラウズするユーザとが友達である場合、該コメントを前記第１の好ましい提示情報とする。
【００７６】
その中で、前記ユーザ関連情報は、ユーザＩＤ、ユーザ趣味興味情報、ユーザの位置、該ユーザのコメントなどを含むが、これらに限定されない。
【００７７】
ここで、前記関連ユーザ情報を取得する方式は、図１で前記ユーザ情報を取得する方式と同一又は類似であるため、ここでは繰り返して説明しなく、且つ引用することによりここに組み込まれる。
【００７８】
ここで、前記提供方式は、図１における前記提示装置４の提供方式と同一又は類似であるため、ここでは繰り返して説明しなく、且つ引用することによりここに組み込まれる。
【００７９】
他の好ましい実施例において、上記の画像の提示情報を提供するための提示機器を、従来のブラウザと組み合わせて新しいブラウザを構成することができ、従来のブラウザは、例えばＭｉｃｒｏｓｏｆｔ社のＩＥブラウザ、Ｎｅｔｓｃａｐｅ社のＮｅｔｓｃａｐｅブラウザ、Ｍｏｚｉｌｌａ社のＦｉｒｅｆｏｘブラウザ、Ｇｏｏｇｌｅ社のＣｈｒｏｍｅブラウザ、遨游社のＭａｘｔｈｏｎブラウザ、Ｏｐｅｒａ社のｏｐｅｒａブラウザ、３６０社の３６０ブラウザ、捜狐社のＳｏｇｏｕブラウザ、テンセント社のテンセントＴＴブラウザなどであってよい。
【００８０】
他の好ましい実施例において、上記の画像の提示情報を提供するための提示機器を、従来のブラウザプラグインと組み合わせて新しいブラウザプラグインを構成することができ、従来のブラウザプラグインは、例えばＦｌａｓｈプラグイン、ＲｅａｌＰｌａｙｅｒプラグイン、ＭＭＳプラグイン、ＭＩＤＩ五線譜プラグイン、ＡｃｔｉｖｅＸプラグインなどであってよい。
【００８１】
他の好ましい実施例において、上記の画像の提示情報を提供するための提示機器を、従来のサーチエンジンと組み合わせて新しいサーチエンジンを構成することができ、従来のサーチエンジンは、例えばＧｏｏｇｌｅ社のＧｏｏｇｌｅサーチエンジン、百度（ＢａｉＤｕ）社のｂａｉｄｕサーチエンジンなどであってよい。
【００８２】
他の好ましい実施例において、上記の画像の提示情報を提供するための提示機器を、従来のサーチエンジンプラグインと組み合わせて新しいサーチエンジンプラグインを構成することができ、従来のサーチエンジンプラグインは、例えばＧｏｏｇｌｅ社のＧｏｏｇｌｅ  ＴｏｏｌＢａｒ、百度社の百度ｓｏｂａ、マイクロソフト社のＭＳＮ  ＴｏｏｌＢａｒなどであってよい。
【００８３】
図３は、本発明の他の態様に係る画像の提示情報を提供するための方法を示すフロー図である。ステップＳ１において、前記提示機器は１つ以上の閲覧しようとする画像を取得し、また、ステップＳ２において、前記提示機器は、前記閲覧しようとする画像に基づき、前記画像に対応する１つ以上の画像特徴情報を取得し、また、ステップＳ３において、前記提示機器は、前記画像特徴情報に基づき、前記画像特徴情報に対応する提示情報を取得し、また、ステップＳ４において、前記提示機器は、前記画像の１つ以上の提示情報を提供し、その中で、前記提示情報が前記画像における特定位置に提示される。
【００８４】
上記の各ステップの間は持続的に作動するものであり、ここで、「持続」とは上記の各ステップがそれぞれリアルタイムで、或いは設定した又はリアルタイムに調整した作動モード要求にしたがって、前記提示機器が１つ以上の閲覧しようとする画像を取得することを停止するまで、閲覧しようとする画像の取得、画像特徴情報の取得、提示情報の取得、提示情報の提供などを行うことを指すことを、当業者は理解すべきである。
【００８５】
ステップＳ１において、前記提示機器は１つ以上の閲覧しようとする画像を取得する。
【００８６】
具体的に、ステップＳ１において、前記提示機器は、様々な通信プロトコルにより、各種の送信インタフェースに基づき、ユーザとを直接にインタラクションして、ユーザがアップロード又は検索などの方式で提出した１つ以上の閲覧しようとする画像を取得し、或いはユーザがクリック、タッチ、テキスト入力、音声入力などの様々な方式で選択した１つ以上の閲覧しようとする画像を取得し、或いは、ステップＳ１において、様々な通信プロトコルにより、各種の送信インタフェースに基づき、閲覧しようとする画像を提供できるその他の装置とインタラクションして、その他の装置で提供した１つ以上の閲覧しようとする画像を取得する。
【００８７】
ステップＳ２において、前記提示機器は、前記閲覧しようとする画像に基づき、前記画像に対応する１つ以上の画像特徴情報を取得する。
【００８８】
具体的に、ステップＳ２において、前記提示機器は、前記閲覧しようとする画像に基づき、前記閲覧しようとする画像に関連する画像情報を直接に取得することができ、それにより、前記画像情報に基づき前記画像に対応する１つ以上の画像特徴情報を取得し、或いは、ステップＳ２において、前記提示機器は、例えば画像処理又は画像認識技術などに基づき、前記閲覧しようとする画像を分析することにより、前記画像に対応する１つ以上の画像特徴情報を取得する。
【００８９】
例えば、ステップＳ２において、前記画像の画像情報を取得するために、前記提示機器は、前記閲覧しようとする画像に基づき、該画像に対応するデータベース又は前記画像の画像情報を提供し得る装置をクエリすることができる。その中で、前記画像情報は、画像アドレスファイル、画像説明情報／文字注記、１つ以上のユーザの該画像に対するコメント情報等を含むが、これらに制限されなく、好ましくは、前記画像情報は、現在で該画像をブラウズしているユーザのユーザ情報、例えばユーザＩＤをさらに含むことができ、さらに好ましくは、該ユーザの該画像に対するコメント情報等を取得することもできる。ここで、上記画像情報は、ユーザ又はシステムが画像において直接に発布する情報であってよく、バックグラウンドにより、該画像に関連するウェブページをキャプチャすることで取得されるものであってよい。
【００９０】
次に、ステップＳ２において、前記提示機器は、上記１つ以上の画像情報に基づき、前記画像情報を統計及び分析し、システムの予備設定方式又はユーザの設定方式に基づき、１つ以上の画像特徴情報を確定する。例えば、上記画像情報を直接に前記画像特徴情報とすることができ、現在で画像をブラウズするアプリの需要又はユーザの需要に基づき、１つ以上の画像情報を前記画像特徴情報として選択し、例えば、場所に関連するアプリ（例えば旅行類アプリ）である場合、場所キーワードを含む画像情報を画像特徴情報として抽出し、検索に関連するアプリである場合、更なる検索等に用いられるように、画像アドレスファイルを画像特徴情報とする。
【００９１】
或いは、例えば、ステップＳ２において、前記提示機器は、画像処理又は画像認識技術に基づき、前記画像の画像内容、各画像内容の画像における位置などを取得するために、前記閲覧しようとする画像の画像特徴を分析し抽出する。前記画像内容は、画像内に含まれる文字、数字、物体及び物体内のコンポーネントのうちの１つ以上を含むが、これらに制限されなく、好ましくは、前記画像における画像特徴を抽出した後、それを具体的な文字情報に変換し、例えばある画像化コンポーネントを画像認識した後、該コンポーネントの名称などとして記憶する。前記画像内容の画像における位置は、前記文字、数字、物体、及び物体内のコンポーネントの画像における具体的な位置（例えば、座標位置）又は相対分布位置などである。それにより、ステップＳ２において、前記提示機器は、前記画像内容、及び画像内容の位置を前記画像特徴情報とする。
【００９２】
それにより、取得された画像特徴情報は、前記画像の画像情報、前記画像の画像内容、各画像内容の画像における位置などのうちの１つ又は２つ以上の組み合わせを含むが、これに限定されない。
【００９３】
ここで、当業者は、前記画像特徴情報の取得方式が単に例示だけであり、本発明を制限するものでなく、その他の画像特徴情報の取得方式が本発明に適用される場合、同様に本発明の保護範囲内に含まれることを理解すべきである。
【００９４】
好ましくは、ステップＳ２において、前記提示機器は、前記閲覧しようとする画像に基づき、前記画像をブラウズするユーザを組み合わせ、前記画像に対応する１つ以上の画像特徴情報を取得し、前記画像特徴情報が前記ユーザのユーザ関連情報を含む。
【００９５】
具体的に、ステップＳ２において、前記提示機器は、前記閲覧しようとする画像に基づき、現在で該画像をブラウズしているユーザがログイン状態にある場合、前記ユーザのユーザ関連情報を前記画像特徴情報としてさらに取得することができる。その中で、前記ユーザ関連情報は、ユーザＩＤ、ユーザ趣味興味情報、ユーザの位置、該ユーザのコメントなどを含むが、これらに限定されない。
【００９６】
ステップＳ３において、前記提示機器は、前記画像特徴情報に基づき、前記画像特徴情報に対応する提示情報を取得する。
【００９７】
具体的に、ステップＳ３において、前記提示機器は、前記画像特徴情報に基づいて検索し、或いは、画像特徴情報及び提示情報のマッピング関係を記憶した装置やデータベースとをインタラクションすることにより、前記画像特徴情報に対応する提示情報を取得する。その中で、前記提示情報は、該画像において提示可能な任意の情報、例えば画像のコメント情報、説明情報、推薦情報などを含むが、これらに限定されない。
【００９８】
ここで、当業者は、前記提示情報の取得方式が単に例示だけであり、本発明を制限するものでなく、その他の提示情報の取得方式が本発明に適用される場合、同様に本発明の保護範囲内に含まれることを理解すべきである。
【００９９】
好ましくは、前記提示取得装置３は、前記画像特徴情報に基づき、前記画像特徴情報に対応する提示情報を取得し、前記提示情報の前記画像における特定位置に対応する。
【０１００】
ここで、取得する際に該提示情報の画像における特定位置情報を直接に取得してもよく、提示情報及び画像を分析することにより、前記提示情報の前記画像における特定位置を確定してもよい。
【０１０１】
さらに好ましくは、前記提示機器は、前記画像特徴情報に対応する提示情報を取得することに用いられ、前記提示情報に基づき、前記画像特徴情報を組み合わせ、前記提示情報の前記画像における特定位置を確定する。
【０１０２】
具体的に、ステップＳ３において、前記提示機器は、前記画像特徴情報に基づいて検索し、或いは、画像特徴情報及び提示情報のマッピング関係を記憶した装置やデータベースとをインタラクションすることにより、前記画像特徴情報に対応する提示情報を取得し、その後、ステップＳ３において、前記提示機器は、前記画像特徴情報を分析することにより、前記提示情報におけるキーワード、特定リンクなどに基づき、前記提示情報と現在画像の画像特徴情報とをマッチして、マッチ関係に基づき、前記提示情報の前記画像における特定位置を確定する。
【０１０３】
例えば、ステップＳ３において、前記提示機器は、前記画像特徴情報に含まれた画像のコメント情報に基づき、該コメント情報におけるキーワードを抽出し、前記キーワードに基づいて検索して、前記キーワードに関連する１つ以上の情報、例えばその他のコメント、画像などを取得し、また、前記コメント又は画像に含まれた、該閲覧しようとする画像における位置情報に基づき、前記画像特徴情報に対応する提示情報を確定する。具体的に、例えば、前記画像特徴情報は、画像説明情報「王菲の娘と那英の息子とは一緒に食事する際に撮られた」である場合、ステップＳ３において、前記提示機器は「王菲の娘と那英の息子とは一緒に食事する際に撮られた」を検索し、又は該内容を単語分割などの方式で処理した後に検索し、該説明に関連する１つ以上のコメントを取得し、例えば取得したあるコメントが「えくぼが良い」である。このコメントがすでにその画像における位置情報を含む場合、該位置情報を直接に前記提示情報の画像における特定位置としており、或いは、このコメントに対応する原画像が現在で閲覧しようとする画像と同一視しなく、且つ現在で閲覧しようとする画像の等比例の増幅又は縮小のバージョンである場合、対応する比例関係に基づき、該コメントの原画像における位置の、現在で閲覧しようとする画像における位置のマッピングを計算して取得し、且つ前記マッピングした位置を前記提示情報の画像における特定位置としており、或いは、画像における位置情報を含まなく、又は該コメントに対応する原画像が現在で閲覧しようとする画像と同一視しくない場合、「えくぼが良い」に対する分析に基づき、閲覧しようとする画像を画像認識して顔の位置を認識した後、該位置を前記提示情報の画像における特定位置（例えば図６に示す）とする。
【０１０４】
或いは、さらに好ましくは、ステップＳ３において、前記提示機器は、前記画像特徴情報に基づき、前記画像特徴情報に対応する１つ以上の関連画像を取得することができ、また、前記関連画像に対応する１つ以上の関連提示情報を取得し、前記関連提示情報が前記関連画像における特定位置に対応し、前記画像特徴情報に基づき、前記関連提示情報及び前記関連提示情報の前記関連画像における特定位置を組み合わせ、前記画像特徴情報に対応する提示情報を確定し、前記提示情報の前記画像における特定位置に対応する。
【０１０５】
具体的に、ステップＳ３において、前記提示機器は、前記画像特徴情報を検索したりクエリしたりするような方式に基づき、前記画像特徴情報と同様、類似であり又は対応する１つ以上の画像を取得して関連画像とすることができ、例えば、前記閲覧しようとする画像の画像特徴情報と完全に一致し、一部が一致する画像（その他のウェブサイトに記憶された閲覧しようとする画像と完全に一致する画像、画素の大きさが完全に一致又は等比例で調整された該画像）であり、或いは閲覧しようとする画像の画像特徴情報と同一の種類又は類似の種類に属し、又は関連性を有する画像である。前例の続きとして、説明情報が「王菲の娘と那英の息子とは一緒に食事する際に撮られた」である画像の場所情報が「広州」である場合、該画像の種類が「スターのゴシップ」に属し、場所が「広州」で種類が「スターのゴシップ」である画像を検索して関連画像などとすることができる。
【０１０６】
その後、ステップＳ３において、前記提示機器は、前記関連画像に対応したデータベースをクエリし、或いは前記関連画像の提示情報に対してウェブクローリング又はウェブキャプチャを行い、或いは前記関連画像を画像分析するなどの方式により、前記関連画像に対応する１つ以上の関連提示情報を取得する。ここで、前記関連提示情報は、該画像に提示される任意の情報、例えば画像のコメント情報、説明情報、推薦情報などを含むが、これらに限定されない。前記関連提示情報が前記関連画像における特定位置に対応し、前記特定位置は前記関連提示情報を取得する際に前記関連提示情報の関連画像における特定位置を直接に取得することができ、前記関連提示情報と前記関連画像とを分析することにより、前記関連提示情報の前記関連画像における特定位置を確定することもできる。ここで、前記関連提示情報の特定位置の取得は、図３において前記ステップＳ３で前記提示情報の画像における特定位置を取得する方式と同一又は類似であるため、ここでは繰り返して説明しなく、且つ引用することによりここに組み込まれる。
【０１０７】
その後、ステップＳ３において、前記提示機器は、前記閲覧しようとする画像の画像特徴情報に基づき、前記関連提示情報及び前記関連提示情報の前記関連画像における特定位置を組み合わせ、まず、前記関連提示情報のうちから１つ以上を選択して前記提示情報とし、次に、前記関連提示情報の特定位置に基づき、その現在で閲覧しようとする画像における特定位置を確定する。
【０１０８】
例えば、関連画像と閲覧しようとする画像とが完全に一致する画像に属し、且つ関連画像の１つの関連提示情報が該関連画像における目の箇所にある「目がつり目である」という説明情報である場合、閲覧しようとする画像の提示情報として該説明情報及び位置を現在画像の目の箇所に表示し、且つ「目がつり目である」と注記する。
【０１０９】
或いは、例えば、関連画像と閲覧しようとする画像とが完全に一致する画像に属しない場合、関連画像と閲覧しようとする画像との類似程度（例えば、等比例で調整されたか、完全に異なるか否か）に基づき、関連提示情報を提示情報及びその位置とするか否かを確定することができる。関連画像と閲覧しようとする画像とが等比例で調整された２枚の画像に属する場合、関連提示情報の位置を比例調整関係により現在で閲覧しようとする画像の位置にマッピングし、関連画像と閲覧しようとする画像とが完全に異なる場合、関連提示情報の内容等に基づき、現在で閲覧しようとする画像における位置を確定する。
【０１１０】
ステップＳ４において、前記提示機器は、前記画像の１つ以上の提示情報を提供し、前記提示情報が前記画像における特定位置に提示される。
【０１１１】
具体的に、前記提示情報が前記画像に対応する特定位置を含まない場合、前記提示装置４は、デフォルトの設定（例えば、ランダムに表示し、又は画像の左上から順次に表示すること）に基づいて、又は前記提示情報の発布時間、内容長さなどの一種以上の情報に基づいて、所定の提示規則により前記提示情報を画像の特定位置に提示する。
【０１１２】
好ましくは、前記提示情報がすでに前記画像に対応する特定位置を含んだ場合、前記提示装置４は、前記提示情報、及び前記提示情報の前記画像における特定位置に基づき、前記画像の１つ以上の提示情報を提供し、前記提示情報が前記画像における特定位置に提示される。
【０１１３】
具体的に、ステップＳ４において、前記提示機器は、前記提示情報、及び前記提示情報の前記画像における特定位置に基づき、前記提示情報を該画像の特定位置に提示し、且つ１つ以上の提示情報を含む画像を提供し、また、前記提示機器がユーザ機器又は該画像を直接に表示する必要があるその他の機器である場合、ステップＳ４において、前記提示機器は、上記の提示情報を含む画像を、直接に表示し、また、前記提示機器がサービス機器などの該画像を直接に表示しない機器である場合、ステップＳ４において、前記提示機器は、１つ以上の提示情報含有画像を、該画像を表示する機器に提供する。
【０１１４】
例えば、ある画像に３つの提示情報が含まれる場合、ステップＳ４において、前記提示機器は、各提示情報の該画像における位置情報（例えば、画像の中間、画像の右下隅、画像の左下隅）にしたがって、前記提示情報を該画像の対応する位置に提示し、また、ある提示情報が位置情報を含まない場合、予備設定された位置にしたがって例えば画像の左上隅から順次に該提示情報を表示し（例えば図５に示す）、好ましくは、画像に含まれた提示情報が多すぎる場合、又はその他の設置により、１つ以上の提示情報を画像のサイドバーに提示することもできる。
【０１１５】
ここで、前記提示情報は、編集できなく直接に該画像に嵌め込まれてもよく、ユーザの削除、内容修正、位置調整などに供するように、編集可能な提示情報として該画像に表示されてもよい。
【０１１６】
好ましくは、ステップＳ２において、前記提示機器は、前記閲覧しようとする画像に基づき、前記画像に対応する１つ以上の画像特徴情報を取得し、前記画像特徴情報において前記画像に対応する候補提示情報を含む。
【０１１７】
具体的に、ステップＳ２において、前記提示機器で得られた画像特徴情報は、該画像に対応する１つ以上の候補提示情報を含んでもよい。ここで、前記ステップＳ２が画像特徴情報を取得する方式は、図３における前記ステップＳ２の取得方式と同一又は類似であるため、ここでは繰り返して説明しなく、且つ引用することによりここに組み込まれる。
【０１１８】
例えば、前記閲覧しようとする画像において１つ以上の提示情報が含まれた場合、これらの提示情報を今回でブラウズする候補提示情報とすることができ、或いは、ある画像特徴情報を、前記候補提示情報、例えば前記閲覧しようとする画像に含まれるコメント、説明などの情報とすることもできる。
【０１１９】
さらに好ましくは、ステップＳ３において、前記提示機器は、前記候補提示情報に基づき、１つ以上の提示キーワードを確定し、また、前記提示キーワードに基づき、前記画像特徴情報に対応する１つ以上の提示情報を取得する。
【０１２０】
具体的に、ステップＳ３において、前記提示機器は、１つ以上の前記候補提示情報に基づき、前記候補提示情報において出現頻度が最も高い単語、又は特定符号（例えば、二重引用符（“  ”）／一重鍵括弧（「  」）／二重鍵括弧（『  』）、又は二重シャープ記号（＃＃））で設定された単語を提示キーワードとする。前記特定符号はシステムの予備設定又はユーザの設定に基づくものであってよい。例えば、二重シャープ記号（＃＃）で引用された単語を提示キーワードとし、ある閲覧しようとする画像の候補提示情報が「＃明星匯＃スターたちは最終的に一緒にいる」である場合、「明星匯」を提示キーワードとする。
【０１２１】
次に、ステップＳ３において、前記提示機器は、前記提示キーワードに基づき、前記提示キーワードを対応するデータベースに検索することにより、検索結果において前記画像特徴情報に符合するものを前記提示情報とする。
【０１２２】
例えば、前例の続きとして、「明星匯」が前記提示キーワードである場合、前記提示機器は、全ての「明星匯」又は「＃明星匯＃」を含む提示情報、候補提示情報、画像特徴情報のうちの１つ以上を検索し、その後、得られた検索結果を直接に前記提示情報とし、或いは、さらに、得られた検索結果をその他の提示キーワードでさらに検索し、且つ得られた更なる検索結果を前記提示情報とし、或いは、さらに、得られた検索結果の関連画像、画像アドレス、種類などを分析し、上記情報において前記閲覧しようとする画像の対応する情報と同一または類似の検索結果を前記提示情報とする。
【０１２３】
好ましくは、ステップＳ４において、前記提示機器は、前記提示情報、及び前記提示情報の前記画像における特定位置に基づき、前記画像の各位置領域に対応する第２の好ましい提示情報を確定し、前記第２の好ましい提示情報及び前記第２の好ましい提示情報の前記画像における特定位置に基づき、前記画像の１つ以上の第２の好ましい提示情報を提供し、前記第２の好ましい提示情報が前記画像における特定位置に提示される。
【０１２４】
具体的に、前記画像に複数の提示情報が含まれる場合、各提示情報は、いずれも画像におけるある特定位置に対応し、前記提示情報が多いと、１つの位置領域に複数の提示情報を含む可能性があり、このため、前記提示装置４が前記１つ以上の提示情報を取得する場合、前記提示装置４は、前記提示情報に含まれた画像における特定位置に基づき、又はシステムの予備設定、ユーザの設定などの方式を介して前記提示情報のために確定された特定位置に基づき、予備設定又はユーザ設定の位置領域を組み合わせ、各位置領域のために一つ以上の第２の好ましい提示情報を確定し、例えば、該画像を９つの領域（例えば、九宮格方式で分割し、画像の色度変化に基づいて分割し、画像に表示された内容に基づいて分割する）に分け、各領域が座標点方式によって１つの範囲を画定し、その後各範囲内に含まれた複数の提示情報を最適化し、例えば、ランダムに選択し、提示情報のユーザと現在でブラウズするユーザとの友達度に基づいて選択し、各提示情報に対応する字数に基づいて選択する（例えば、字数が最少又は字数が適切であるものを選択する）などの方式により、各範囲のために一つ以上の第２の好ましい提示情報を選択する。
【０１２５】
ここで、前記提示情報に対応する画像内における座標、前記提示情報に対応する内容などに基づき前記提示情報がどの位置領域に属するかを確定することができる。
【０１２６】
ここで、前記画像の分割方法、及び各範囲内から第２の好ましい提示情報の選択方式は、単に例示だけであり、本発明を制限するものでなく、その他の方法が本発明に適用できる場合、同様に本発明の保護範囲内に含まれる。
【０１２７】
次に、ステップＳ４において、前記提示機器は、前記第２の好ましい提示情報、及び前記第２の好ましい提示情報の前記画像における特定位置に基づき、前記画像の１つ以上の第２の好ましい提示情報を提供し、前記第２の好ましい提示情報が前記画像における特定位置に提示される。それにより、前記画像の各位置領域内に、有限な第２の好ましい提示情報のみを含み、画像全体における提示情報は、ユーザの読みにさらに適合することができる。
【０１２８】
ここで、前記提供方式は、図３における前記ステップＳ４の提供方式と同一又は類似であるため、ここでは繰り返して説明しなく、且つ引用することによりここに組み込まれる。
【０１２９】
好ましくは、ステップＳ４において、前記提示機器は、前記提示情報、及び前記提示情報の前記画像における特定位置に基づき、前記提示情報の前記画像における提示範囲を組み合わせ、前記画像に対応する第３の好ましい提示情報を確定し、前記第３の好ましい提示情報及び前記第３の好ましい提示情報の前記画像における特定位置に基づき、前記画像の１つ以上の第３の好ましい提示情報を提供し、その中で、前記第３の好ましい提示情報は前記画像における特定位置に提示される。
【０１３０】
具体的に、各提示情報は、字数が異なり、字形サイズが異なり、含まれた内容が異なるなどの多種の原因があるため、異なる提示情報が画像に提示される際に、占められた提示範囲が異なる可能性があり、例えば、一番目の提示情報に含まれたコメントの字数が５０であり、二番目の提示情報に含まれたコメントの字数が１０である場合、一番目の提示情報に占められた提示範囲は、より大きくなる。
【０１３１】
このため、前記提示装置４が前記１つ以上の提示情報を取得する場合、前記提示装置４は、前記提示情報に含まれる画像における特定位置に基づき、又はシステムの予備設定、ユーザの設定などの方式を介して前記提示情報のために確定された特定位置に基づき、ステップＳ４において、前記提示機器は、前記提示範囲を組み合わせて前記提示情報を最適化し、例えば、提示範囲の最も小さい又は最も適切な１つ以上を選択して前記第３の好ましい提示情報とし、或いは、ステップＳ４において、前記提示機器は、前記特定位置に基づき、前記提示範囲を組み合わせ、該特定位置に短すぎる提示情報又は長すぎる提示情報を提示することに適しない場合、適切な提示情報又はその他の提示情報を選択して前記第３の好ましい提示情報とする。例えば、前記画像に対して色調又は色度の分析を行い、同一又は類似のものを１つの領域に画定し、前記提示情報を提示する際にその位置の所在領域を超えない場合、それを前記第３の好ましい提示情報とする。
【０１３２】
ここで、当業者は、本発明の提示機器が前記提示情報を調整することができ、例えばフォント、フォントサイズ、行間隔などの調整であり、各提示情報に対応した提示範囲を一致させることを理解すべきである。好ましくは、ステップＳ４において、前記提示機器は、提示効果が悪い（例えばフォントが明らかではなく、フォントサイズが小さ過ぎ、行間隔が小さすぎるなど）の提示情報を選別して除去して、提示効果が良いものを前記第３の好ましい提示情報とすることもできる。
【０１３３】
それにより、ステップＳ４において、前記提示機器は、より少なくしかしより良い提示情報（例えば短いコメント）のみを前記画像に表示し、その他の提示情報（例えば長いコメント）を画像のサイドバーに表示することができる。
【０１３４】
図４は本発明の好ましい実施例に係る画像の提示情報を提供するための方法を示すフロー図である。ステップＳ１’において、前記提示機器は１つ以上の閲覧しようとする画像を取得し、また、ステップＳ２’において、前記提示機器は、前記閲覧しようとする画像に基づき、前記画像に対応する１つ以上の画像特徴情報を取得し、また、ステップＳ３’において、前記提示機器は、前記画像特徴情報に基づき、前記画像特徴情報に対応する提示情報を取得し、また、ステップＳ５’において、前記提示機器は、前記ユーザ関連情報に基づき、前記提示情報に対応した関連ユーザ情報を組み合わせ、前記画像特徴情報に対応する第１の好ましい提示情報を確定し、また、ステップＳ４’において、前記提示機器は前記画像の１つ以上の第１の好ましい提示情報を提供し、その中で、前記第１の好ましい提示情報が前記画像における特定位置に提示される。
【０１３５】
前記ステップＳ１’、ステップＳ２’、ステップＳ３’は、図３に示すにように対応したステップと同一又はほぼ同一であるため、ここでは繰り返して説明しなく、且つ引用することによりここに組み込まれる。
【０１３６】
上記の各ステップの間は持続的に作動するものであり、ここで、「持続」とは上記各ステップがそれぞれリアルタイムで、或いは設定した又はリアルタイムに調整した作動モード要求にしたがって、前記提示機器が１つ以上の閲覧しようとする画像を取得することを停止するまで、閲覧しようとする画像の取得、画像特徴情報の取得、提示情報の取得、第１の好ましい提示情報の確定、第１の好ましい提示情報の提供などを行うことを指すことを、当業者は理解すべきである。
【０１３７】
ステップＳ５’において、前記提示機器は、前記ユーザ関連情報に基づき、前記提示情報に対応した関連ユーザ情報を組み合わせ、前記画像特徴情報に対応する第１の好ましい提示情報を確定する。
【０１３８】
具体的に、前記画像特徴情報が前記ユーザのユーザ関連情報を含む際に、ステップＳ５’において、前記提示機器は、前記ユーザ関連情報と前記提示情報に対応する関連ユーザ情報とを比較し又はマッチすることにより、前記ユーザ関連情報と前記関連ユーザ情報とが一定の条件、例えば該ユーザと関連ユーザとが友達であり、該ユーザと関連ユーザとが同一の場所にあり、該ユーザと関連ユーザとが同一又は類似の興味がある条件を満たす場合、前記関連ユーザ情報に対応した提示情報を、前記第１の好ましい提示情報とする。
【０１３９】
例えば、ある検索されたコメントの発表ユーザと現在で画像をブラウズするユーザとが友達である場合、該コメントを前記第１の好ましい提示情報とする。
【０１４０】
その中で、前記ユーザ関連情報は、ユーザＩＤ、ユーザ趣味興味情報、ユーザの位置、該ユーザのコメントなどを含むが、これらに限定されない。
【０１４１】
ここで、前記関連ユーザ情報を取得する方式は、図１で前記ユーザ情報を取得する方式と同一又は類似であるため、ここでは繰り返して説明しなく、且つ引用することによりここに組み込まれる。
【０１４２】
ここで、前記提供方式は、図３における前記ステップＳ４の提供方式と同一又は類似であるため、ここでは繰り返して説明しなく、且つ引用することによりここに組み込まれる。
【０１４３】
注意すべきことは、本発明が、ソフトウェア及び／又はソフトウエアとハードウェアとの組合せにおいて実施することができ、例えば、特定用途向け集積回（ＡＳＩＣ）、汎用コンピュータ又は任意の他の種類のハードウエアを用いて実現することができる。本発明のソフトウェアプログラムはプロセッサに実行されることで以上の前記ステップ又は機能を実現できる。同様に、本発明のソフトウェアプログラム（関連するデータ構造を含む）は、コンピュータ読み取り可能な記録媒体、例えば、ＲＡＭメモリ、磁気ドライブ又は光学ドライブ又はフロッピーディスク及び類似装置に記録されてもよい。また、本発明の一部のステップ又は機能はハードウェア、例えばプロセッサと協力して各機能又はステップを実行する電気回路によって実現できる。
【０１４４】
また、本発明の一部は、コンピュータプログラム製品、例えばコンピュータプログラム命令として使用されてもよく、コンピュータに実行される場合、当該コンピュータの操作により、本発明に係る方法及び／又は技術案を呼び出す又は提供することができる。本発明の方法を呼び出すプログラム命令は、固定記録媒体又は取り外し可能な記録媒体に記録され、及び／又はブロードキャスト又はその他の信号担持媒体におけるデータストリームを介して伝送され、及び／又は前記プログラム命令に応じて運転するコンピュータ装置のワーキングメモリに記録される。ここで、本発明の一実施例によれば、コンピュータプログラム命令を記録するメモリと、タプログラム命令を実行するプロセッサとを備える装置を含み、当該コンピュータプログラム命令が当該プロセッサに実行される場合に、当該装置に、本発明に係る複数の実施例の方法及び／又は技術案を実行させる。
【０１４５】
当業者であれば、本発明は、上記の例示的な実施例の詳細に制限されず、本発明の主旨又は基本的な特徴を脱逸せずにその他の形態で本発明を実現できることが明らかなことである。従って、いずれにしても、実施例は例示的なものに過ぎず、非限定的であり、本発明の範囲は上記説明ではなく添付している請求項により限定され、従って、請求項の同等要件を満たす意味及び範囲を有するすべての変化は本発明内に含まれる。請求項における任意の図面符号を、係る請求項を制限するものとしてはならない。また、「含む」という単語は、他のユニット又はステップを排除せず、単数形を使用する場合も複数を含む。請求項に説明した複数のユニット又は装置は、一つのユニット又は装置によりソフトウェア又はハードウェアを通じて実現されてもよい。第１、第２等の単語は名称を示すことに用いられ、順番を特定するものではない。
【図１】
0006419969.tif 000002
【図２】
0006419969.tif 000003
【図３】
0006419969.tif 000004
【図４】
0006419969.tif 000005
【図５】
0006419969.tif 000006
【図６】
0006419969.tif 000007